(57)【特許請求の範囲】
【請求項１】
複数の給糸部と、単一の回転ドラムと、緯入れ開始時及び緯入れ終了時に緯糸の解放及び把持を行う緯糸把持部とを備え、前記回転ドラムの外周面に進退可能に配設された緯糸係止ピンに前記緯糸を係止して前記回転ドラムに巻付け、貯留する織機における緯糸貯留装置において、
前記回転ドラムの外方に、前記回転ドラムの軸心に向けて移動可能な複数の緯糸案内レバーを配設し、前記緯糸を前記緯糸係止ピンに案内するように前記回転ドラムの軸心に向けて前記緯糸案内レバーを移動させるカム機構と、前記複数の緯糸案内レバーにそれぞれ設けられ、前記カム機構による前記緯糸案内レバーの移動を電気的指令に基づき選択的に規制する規制部とを設けたことを特徴とする織機における緯糸貯留装置。
【請求項２】
前記規制部は、前記緯糸案内レバーを前記回転ドラムから離間した位置を維持するソレノイド機構を備え、前記カム機構は、前記緯糸案内レバーを前記回転ドラムの軸心へ向けて付勢するスプリングと、前記回転ドラムと一体回転可能に設けられたカムと、前記カムに接触するカムフォロアとを備え、前記カムは、前記回転ドラムの軸心へ向けて移動した前記緯糸案内レバーの位置に対応する前記カムフォロアの位置を維持する溝カム部を備えたことを特徴とする請求項１に記載の織機における緯糸貯留装置。
【請求項３】
前記カムは、前記カムフォロアを前記溝カム部に導入する導入開口カム部と、前記カムフォロアを前記溝カム部から導出する導出開口カム部とを備えたことを特徴とする請求項２に記載の織機における緯糸貯留装置。
【請求項４】
前記緯糸係止ピンは、前記回転ドラムの外周面に一回分の緯入れに必要な長さの前記緯糸が巻き付けられる前に前記緯糸の係止を解除し、係止が解除される前に前記回転ドラムに巻き付けられた前記緯糸の長さと係止が解除された後に前記回転ドラムに巻き付けられる前記緯糸の長さとの合計が緯入れ一回分の前記緯糸の長さとなるように、前記緯糸係止ピンが前記緯糸の係止を解除するタイミングを設定することを特徴とする請求項１〜３のいずれか１項に記載の織機における緯糸貯留装置。
【発明の詳細な説明】
【技術分野】
【０００１】
本願発明は、複数の給糸部を備えた織機における緯糸貯留装置に関する。
【背景技術】
【０００２】
緯糸を断片的に緯入れする無杼織機において、緯入れ時における緯糸の引き出し抵抗や引き出し抵抗のばらつきを減少するために、給糸部から引き出した緯糸をドラムの周面に貯留した後、緯入れに供するドラム式緯糸貯留方法が実施されている。特に、２以上の同種又は異種の緯糸を使用する多色織物用の織機においては、使用する緯糸数と同数の緯糸貯留ドラムを必要とし、緯入れ機構の外方に複数の給糸部と複数の緯糸貯留ドラムを設置しなければならない。このため、１台の織機の占有面積が拡大されるとともに緯糸貯留装置全体の構成が複雑になり、またコストアップにもなるなどの不具合がある。
【０００３】
上記の不具合を解消する技術として、例えば、特許文献１には、複数の固定緯糸供給部（給糸部に該当する）に対して単一の回転ドラムを用いて緯糸を貯留する発明が開示されている。特許文献１によれば、多色緯糸供給装置は、連続回転する回転ドラムの外周面の近傍位置に、複数の緯糸を並列に張架しておく。緯入れ作用に先行して次期緯入れ対象の緯糸が緯糸案内レバーによって回転ドラムの軸心方向に変位され、回転ドラム上の緯糸係止ピンに係留されることにより繰り出され、回転ドラムに巻付け貯留される。
【０００４】
緯糸案内レバーは、各緯糸に対応して複数設置され、それぞれスプリングによって回転ドラムの軸心方向に傾動するように付勢されているが、常時は緯糸案内レバー毎に設けられたソレノイドにより傾動を規制されている。次期緯入れ対象の緯糸に対応する緯糸案内レバーのソレノイドが、織物組織あるいは織柄を決定するパターンカードからの緯入れ信号に基づき作動されると、緯糸案内レバーの規制を解除する。緯糸案内レバーはスプリングによって傾動され、次期緯入れ対象の緯糸を回転ドラム上の緯糸係止ピンと係留する位置に案内するため、緯糸が回転ドラムに巻付けられ、貯留される。
【先行技術文献】
【特許文献】
【０００５】
【特許文献１】特開昭４８−４２１６４号公報
【発明の概要】
【発明が解決しようとする課題】
【０００６】
特許文献１において、スプリングにより付勢された緯糸案内レバーは、ソレノイドの作動に基づく規制又は解除により傾動又は復帰動作する構成である。このため、パターンカードからの緯入れ信号に基づくソレノイドの作動時間にばらつきが生じ易く、緯糸の貯留量にばらつきが生じるという問題がある。また、緯糸案内レバーはスプリングの付勢力によって傾動動作する構成であるため、織機の運転による振動等の影響により、緯糸を回転ドラム上の緯糸係止ピンに係留する動作が不安定になりやすい。これらの問題は、高速化（例えば、６００〜７００ｒｐｍ以上）された織機の運転において顕著に発生し易い。
また、特許文献１において、緯糸案内レバーをカム機構等の機械的な駆動機構で直接傾動又は復帰動作させれば上記の課題は解決するが、この場合には、緯入れパターンを変更する毎に対応する駆動機構を交換しなければならず汎用性に欠ける。
【０００７】
本願発明は、織機において、緯糸を回転ドラムの緯糸係止ピンに確実に係止でき、かつ汎用性を確保することができる緯糸貯留装置を提供する。
【課題を解決するための手段】
【０００８】
請求項１は、複数の給糸部と、単一の回転ドラムと、緯入れ開始時及び緯入れ終了時に緯糸の解放及び把持を行う緯糸把持部とを備え、前記回転ドラムの外周面に進退可能に配設された緯糸係止ピンに前記緯糸を係止して前記回転ドラムに巻付け、貯留する織機における緯糸貯留装置において、前記回転ドラムの外方に、前記回転ドラムの軸心に向けて移動可能な複数の緯糸案内レバーを配設し、前記緯糸を前記緯糸係止ピンに案内するように前記回転ドラムの軸心に向けて前記緯糸案内レバーを移動させるカム機構と、前記複数の緯糸案内レバーにそれぞれ設けられ、前記カム機構による前記緯糸案内レバーの移動を電気的指令に基づき選択的に規制する規制部とを設けたことを特徴とする。
【０００９】
請求項１によれば、緯糸を緯糸係止ピンに案内するタイミングでの緯糸案内レバーの作動をカム機構によって確実に行わせることができる。このため、緯糸案内レバーは、アクチュエータの動作タイミングにおけるばらつきの影響を受けることが無く、緯入れ対象となる緯糸の選択と回転ドラムへの巻付け、貯留を精度良く行うことができる。また、カム機構による緯糸案内レバーの移動を電気的指令に基づき選択的に規制する規制部を設けることにより、緯入れパターンの変更にも柔軟に対応する汎用性をも確保することができる。
【００１０】
請求項２は、前記規制部は、前記緯糸案内レバーを前記回転ドラムから離間した位置を維持するソレノイド機構を備え、前記カム機構は、前記緯糸案内レバーを前記回転ドラムの軸心へ向けて付勢するスプリングと、前記回転ドラムと一体回転可能に設けられたカムと、前記カムに接触するカムフォロアとを備え、前記カムは、前記回転ドラムの軸心へ向けて移動した前記緯糸案内レバーの位置に対応する前記カムフォロアの位置を維持する溝カム部を備えたことを特徴とする。請求項２によれば、緯糸が織機の振動等の影響により踊るなどして、緯糸係止ピンに対する案内を阻害されたり、緯糸係止ピンから外れたりする恐れが無い。
【００１１】
請求項３は、前記カムは、前記カムフォロアを前記溝カム部に導入する導入開口カム部と、前記カムフォロアを前記溝カム部から導出する導出開口カム部とを備えたことを特徴とする。請求項３によれば、規制部による緯糸案内レバーの規制解除及び規制タイミングのばらつきをカム機構の導入開口カム部及び導出開口カム部により吸収することができる。このため、織物組織あるいは織柄等から作成された緯入れパターンの緯入れ信号に基づく規制部の作動タイミングの設定が容易になる。
【００１２】
請求項４は、前記緯糸係止ピンは、前記回転ドラムの外周面に一回分の緯入れに必要な量の前記緯糸が巻き付けられる前に前記緯糸の係止を解除し、係止が解除される前に前記回転ドラムに巻き付けられた前記緯糸の長さと係止が解除された後に前記回転ドラムに巻き付けられる前記緯糸の長さとの合計が緯入れ一回分の前記緯糸の長さとなるように、前記緯糸係止ピンが前記緯糸の係止を解除するタイミングを設定することを特徴とする。請求項４によれば、回転ドラムに一回分の緯入れに必要な長さの緯糸が巻き付けられた後に緯糸係止ピンを回転ドラム内に後退させる場合に比べて、より高速化に対して有利となる。
【発明の効果】
【００１３】
本願発明は、複数の給糸部に対して単一の回転ドラムを使用して緯糸の貯留を行う緯糸貯留装置を備えた織機において、緯糸を回転ドラムの緯糸係止ピンに確実に係止させ、かつ、汎用性を確保することができる。
【図面の簡単な説明】
【００１４】
【図１】エアジェット織機の緯糸貯留装置を示す平面図である。
【図２】緯糸貯留装置のカムを示す正面図である。
【図３】図２に示したカムのＡ−Ａ線矢視図である。
【図４】カムとカムフォロアとの動作関係を示す説明図である。
【図５】緯入れ前の緯糸の貯留動作を説明する図１に相当する平面図である。
【図６】緯入れ中の緯糸の貯留動作を説明する図１に相当する平面図である。
【図７】緯糸の貯留と緯入れとの関係を説明するタイミングチャートである。
【発明を実施するための形態】
【００１５】
本願発明の実施形態を図１〜図７に基づいて説明する。図１は、緯入れ機構として空気流の噴射により緯入れを行う２本の緯入れノズル１、２及び２体の給糸部３、４を備えた多色織物用のエアジェット織機における緯糸貯留装置を示している。緯入れノズル１の上流側には、カム等の機械的な駆動源により作動される緯糸把持部５及び緯糸把持部５を挟んで配列された緯糸ガイド６、７が設けられている。同様に、緯入れノズル２の上流側には、緯糸把持部８及び緯糸把持部８を挟んで配列された緯糸ガイド９、１０が設けられている。緯糸把持部５、８は緯入れ開始時及び緯入れ終了時に緯糸Ｙ１、Ｙ２の開放及び把持を行う。給糸部３、４の近傍には、緯糸ガイドを板ばねにより支持したテンサー１１、１２が設けられ、給糸部３、４から引き出される緯糸Ｙ１、Ｙ２はそれぞれテンサー１１、１２から緯糸ガイド６、７、９、１０に張架され、緯入れノズル１、２に至る。
【００１６】
給糸部３、４と緯糸把持部５、８との間には、単一の回転ドラム１３と、回転ドラム１３と一体回転可能なカム１４と、給糸部３、４に対応する２体の緯糸案内レバー１５、１６とが配設されている。回転ドラム１３は、截頭円錐形の筒体で形成され、図示しない電動モータ等の駆動機構に連結する被動ギヤ１７及び筒状の回転軸１８を介して図１の矢印方向に回転される。回転ドラム１３及び回転軸１８の内部には、回転ドラム１３の軸心Ｘ方向に往復移動可能に嵌入された駆動ロッド１９が設けられている。なお、駆動ロッド１９は図示しないカム等の機械的な手段により駆動される。
【００１７】
回転ドラム１３の内壁部には、Ｌ字型リンク２０が回動可能に取り付けられている。Ｌ字型リンク２０の一端は駆動ロッド１９の端部と連結し、Ｌ字型リンク２０の他端は回転ドラム１３の外周面１３Ａ上に進退可能な緯糸係止ピン２１として構成されている。緯糸係止ピン２１は、駆動ロッド１９の軸心Ｘ方向への往動に伴い回転ドラム１３の外周面１３Ａ上に進出し、また、駆動ロッド１９の軸心Ｘ方向の復動に伴い回転ドラム１３内に後退する。従って、駆動ロッド１９、Ｌ字型リンク２０及び緯糸係止ピン２１は、緯糸係止ピン２１の進退動作を伴いながら、回転ドラム１３とともに回転する。
【００１８】
カム１４は、図２及び図３に示すように、円板カム２２により構成され、中心に回転軸１８が嵌合する軸孔２３が穿設されている。円板カム２２は周面に形成されたカム面のほぼ半分が山部２４、残りのほぼ半分が谷部２５として形成されている。谷部２５の最も小径の位置には、カム面と同心円状に形成された屋根２６により覆われた溝カム部２７が設けられている。溝カム部２７よりも円板カム２２の回転方向（図１の回転ドラムの回転方向を示す矢印参照）側の谷部２５には、円板カム２２の周面外方が開放された導入開口カム部２８が設けられ、回転方向手前側の谷部２５には、円板カム２２の周面外方が開放された導出開口カム部２９が設けられている。
【００１９】
緯糸案内レバー１５、１６は、位相が異なるのみで構造が同一であるため、緯糸案内レバー１５についてのみ構造を説明する。また、緯糸案内レバー１５の説明に使用した符号は、緯糸案内レバー１６の説明に援用する。緯糸案内レバー１５は、垂直レバー３０と水平レバー３１とをＬ字型に一体化した本体を有し、回転ドラム１３の軸心Ｘに向けて接近及び離間する方向に移動可能に設けられている。垂直レバー３０はカム１４に向けて延出し、水平レバー３１は回転ドラム１３の外周面１３Ａの外方で軸心Ｘと平行となるように延出している。また、緯糸案内レバー１５はスプリング３５により軸心Ｘに向けて接近する方向に付勢されている。
【００２０】
垂直レバー３０は下端に円板カム２２のカム面に接触するカムフォロア３２を備え、水平レバー３１は回転ドラム１３の外周面１３Ａに対向する糸押え３３を備えている。糸押え３３は、緯糸案内レバー１５が回転ドラム１３の軸心Ｘから最も離間した位置において、仮想線で示した緯糸Ｙ１に僅かに接触しない状態となる（図１における緯糸案内レバー１６の糸押え３３と緯糸Ｙ２との位置関係を参照）。従って、緯糸Ｙ１は回転ドラム１３への巻付けが停止された状態となる。カム１４、スプリング３５、カムフォロア３２が緯糸案内レバー１５を回転ドラム１３の軸心Ｘに向けて移動させるカム機構を構成する。
【００２１】
垂直レバー３０の側方には、規制部としてのソレノイド機構３４が配設されている。ソレノイド機構３４は、図示しない制御部からの指令信号により緯糸案内レバー１５の規制動作と緯糸案内レバー１５の開放動作とを行う。緯糸案内レバー１５の規制動作では、ソレノイド機構３４の一部が制御部からの指令信号により突出して垂直レバー３０の一部に係合し、緯糸案内レバー１５の移動を規制する。従って、緯糸案内レバー１５は回転ドラム１３の軸心Ｘから最も離間した位置に保持される。緯糸案内レバー１５の規制解除動作では、ソレノイド機構３４の一部が制御部からの指令信号により垂直レバー３０の一部から離脱し、緯糸案内レバー１５の移動を可能にする。
【００２２】
なお、図示しない制御部は、織物組織あるいは織柄に基づき作成された緯入れパターンのプログラムを備えており、緯入れパターンに基づき緯入れノズル１、２、緯糸把持部５、８、緯糸係止ピン２１及びソレノイド機構３４に対して作動指令信号を発信する。従って、ソレノイド機構３４は、図示しない制御部からの電気的指令に基づき緯糸案内レバー１５の回転ドラム１３の軸心Ｘに向けた移動を選択的に規制する。なお、図１に示した符号Ｔは経糸、Ｗは織布、Ｋは緯糸切断装置である。
【００２３】
本願発明の実施形態における作用を図１及び図４〜図７に基づき説明する。緯入れ順序としては、図７に示すように、まず緯糸Ｙ１が緯入れされ、次に緯糸Ｙ２が緯入れされるものとする。織機の運転中、緯糸Ｙ１の緯入れ開始に先立ち、図示しない駆動機構により駆動ロッド１９が図１の右方へ移動し、図示しない制御部からの緯糸Ｙ１の貯留指令信号が発信されると、緯糸係止ピン２１が回転ドラム１３の外周面１３Ａ上に進出する。同時に、ソレノイド機構３４は規制解除動作指令により垂直レバー３０との係合を外され、垂直レバー３０の規制、即ち緯糸案内レバー１５の規制を解除する。
【００２４】
カムフォロア３２が円板カム２２の導入開口カム部２８のカム面に達すると、緯糸案内レバー１５はスプリング３５の付勢力により、カム面に案内されながら回転ドラム１３の軸心Ｘに向けて移動する。この移動過程で、糸押え３３は図１の仮想線位置にある緯糸Ｙ１と係合し、緯糸Ｙ１を回転ドラム１３の外周面１３Ａ側に移行する。また、カムフォロア３２が図４の３２Ａで示す導入開口カム部２８に圧接されるため、緯糸案内レバー１５は導入開口カム部２８のカム面に従って移動する。なお、導入開口カム部２８はカム面の作用範囲を広く設定している。このため、ソレノイド機構３４による緯糸案内レバー１５の規制解除は、導入開口カム部２８の作用範囲内で行えばよく、タイミングの設定の自由度が高まる。また、ソレノイド機構３４に生じる規制解除タイミングのばらつきを導入開口カム部２８によって吸収させることができる
【００２５】
カムフォロア３２が溝カム部２７に導入された時点（図４の３２Ｂ参照）で、緯糸案内レバー１５は緯糸Ｙ１を緯糸係止ピン２１と係合可能な実線で示す位置（図１参照）に移行する。緯糸案内レバー１５の移動位置は溝カム部２７によって維持され、織機の振動等に影響されること無く安定に保たれる（図４の３２Ｃ参照）ため、緯糸Ｙ１は緯糸係止ピン２１によって確実に係止され、回転ドラム１３への巻付けが開始される。
【００２６】
緯糸Ｙ１の巻付けが開始されると、カムフォロア３２は、溝カム部２７において図４の３２Ｄの位置に達し、導出開口カム部２９に導出される。従って、緯糸案内レバー１５は導出開口カム部２９のカム面により、回転ドラム１３の軸心Ｘから離れる方向に移動される（図４の３２Ｅ参照）。
【００２７】
カムフォロア３２は、さらに導出開口カム部２９から山部２４に達する（図４の３２Ｆ参照）ため、緯糸案内レバー１５は山部２４のカム面によって回転ドラム１３の軸心Ｘから最も離れた位置に維持される（図６の実線位置参照）。この状態で、図示しない制御部からソレノイド機構３４に規制動作指令が発信される。ソレノイド機構３４は垂直レバー３０と係合し、垂直レバー３０の移動を規制するため、緯糸案内レバー１５は軸心Ｘから最も離間した待機状態の位置に保持され、次の巻付け、貯留作用に備える。
【００２８】
一方、緯糸Ｙ１の巻付け、貯留が進行し、緯糸Ｙ１が一回分の緯入れに必要な長さよりも少ない所定の長さだけ貯留された時点で、図示しない駆動機構により緯糸係止ピン２１が回転ドラム１３内に後退される（図５の仮想線参照）とともに緯糸把持部５が緯糸Ｙ１を開放し、緯入れノズル１によって緯入れが開始される。従って、回転ドラム１３に巻き付けられた緯糸Ｙ１は、緯入れノズル１によって順次引き出され、経糸Ｔの開口内へ緯入れされる。
【００２９】
図６に示すように、緯糸係止ピン２１が回転ドラム１３内に後退した後も、回転ドラム１３に残留している緯糸Ｙ１に回転ドラム１３の外周面１３Ａに対する巻き付き抵抗が生じているため、回転ドラム１３には、緯入れノズル１による緯糸Ｙ１の解除と並行して、緯糸Ｙ１が給糸部３から継続して引き出され、回転ドラム１３に巻き付けられる。緯糸係止ピン２１が回転ドラム１３内に後退する前に回転ドラム１３に巻き付けられる緯糸Ｙ１の巻き付け長さと、緯糸係止ピン２１が回転ドラム１３内に後退した後に回転ドラム１３に巻き付けられる緯糸Ｙ１の長さとの合計が１ピック分（緯入れ一回分）の長さとなるように、緯糸係止ピン２１が回転ドラム１３内に後退するタイミングが設定されている。緯入れノズル１によって１ピック分の緯糸Ｙ１が緯入れされた時点で、緯糸把持部５が作動され、緯糸Ｙ１を把持するため、緯糸Ｙ１の緯入れが終了する。
【００３０】
続いて、図７に示すように、緯糸Ｙ２の緯入れが行われる。緯糸案内レバー１６による緯糸Ｙ２の回転ドラム１３への巻付け、貯留作用は、図７に示すように、緯入れノズル２による緯糸Ｙ２の緯入れ開始前に行われる。即ち、緯糸Ｙ２は、緯糸案内レバー１６がソレノイド機構３４による規制を解除されることにより、回転ドラム１３の外周面１３Ａ側に案内され、緯糸係止ピン２１に係止される。緯糸案内レバー１６のカムフォロア３２が、スプリング３５の付勢力とカム１４との協働作用により制御されることにより、糸押え３３は緯糸Ｙ２の案内位置を安定化し、緯糸係止ピン２１による緯糸Ｙ２の係止を確実に行わせることができる。このような緯糸Ｙ２の巻付け、貯留する機構及び動作は、緯糸案内レバー１５による緯糸Ｙ１の巻付け、貯留する機構及び動作と同一であるため、詳細な説明を省略する。
【００３１】
前記した第１の実施形態は以下の作用効果を有する。
（１）緯糸案内レバー１５による緯糸Ｙ１又は緯糸Ｙ２の緯糸係止ピン２１への案内をカム１４、カムフォロア３２、スプリング３５からなるカム機構によって行うため、ソレノイド機構３４における動作タイミングのばらつきが緯糸Ｙ１又は緯糸Ｙ２の緯糸係止ピン２１への係止タイミング又は緯糸係止ピン２１からの解放タイミングに影響を与えることが無い。特に、カム１４が溝カム部２７、導入開口カム部２８および導出開口カム部２９の組合せにより構成されているため、単一の回転ドラム１３に対する複数の緯糸案内レバー１５、１６をより円滑にかつ正確に動作させることができ、緯糸貯留装置の簡素化に大きく貢献することができる。さらに、電気的な指令で動作するソレノイド機構３４により前記カム機構による緯糸案内レバー１５の移動を選択的に規制するので、様々な緯入れパターンにも柔軟に対応することができる。
【００３２】
（２）導入開口カム部２８を備えるために、ソレノイド機構３４の動作タイミングの自由度が高まる。また、溝カム部２７を備えることにより、糸押え３３の移動位置が安定されるため、緯糸Ｙ１又は緯糸Ｙ２が織機の振動等の影響により踊るなどして、緯糸係止ピン２１に対する案内を阻害されたり、緯糸係止ピン２１から外れたりする恐れが無い。
（３）緯糸係止ピン２１は、回転ドラム１３の外周面１３Ａに一回分の緯入れに必要な長さの緯糸Ｙ１、Ｙ２が巻き付けられる前に緯糸Ｙ１、Ｙ２の係止を解除し、係止が解除される前に回転ドラム１３に巻き付けられた緯糸Ｙ１、Ｙ２の長さと係止が解除された後に回転ドラム１３に巻き付けられる緯糸Ｙ１、Ｙ２の長さとの合計が緯入れ一回分の緯糸Ｙ１、Ｙ２の長さとなるように、緯糸係止ピン２１が緯糸Ｙ１、Ｙ２の係止を解除するタイミングを設定している。従って、回転ドラム１３に一回分の緯入れに必要な長さの緯糸Ｙ１、Ｙ２が巻き付けられた後に緯糸係止ピン２１を回転ドラム１３内に後退させる場合に比べて、より高速化に対して有利となる。
【００３３】
本願発明は、前記した実施形態の構成に限定されるものではなく、本願発明の趣旨の範囲内で種々の変更が可能であり、次のように実施することができる。
【００３４】
（１）カム１４は、前記実施形態に示した溝カム部２７を有しないオープンな円板カムにより構成しても良く、また、円板カム以外の平面カムや立体カムにより構成することができる。
（２）緯糸案内レバー１５、１６は、スプリング３５を積極的な駆動部を有する移動機構に置き換えることが可能である。また、緯糸案内レバー１５、１６の形態は、カムフォロア３２及び糸押え３３を備えるものであれば、前記実施形態に限らず、他の種々の形状を選択することができる。
（３）本願発明の規制部は、電気的指令に基づき作動されるソレノイド機構３４に限らず、たとえばエアシリンダとこれの動作を制御する電磁バルブで実施することができる。
（４）緯糸係止ピン２１は、機械的に駆動される構成に限らず、ソレノイドのように電気的に駆動される構成で実施することができる。
【００３５】
（５）緯糸係止ピン２１は、回転ドラム１３の内部から外部へ進退する機構に限らず、回転ドラム１３の外部に配設し、回転ドラム１３の外部から内部へ進退する機構であっても実施することができる。
（６）前記実施形態では、２種類の緯糸Ｙ１、Ｙ２を緯入れする織機を示したが、同種又は異種の緯糸を３種類以上使用する織機において実施することができる。
（７）駆動ロッド１９は電気的に駆動される構成で実施することができる。
（８）緯糸係止ピン２１は、回転ドラム１３の外周面１３Ａに１ピック分の緯糸が貯留された後に回転ドラム１３の内部に後退するようにしてもよい。
（９）本願発明は、エアジェット織機に限らず、ウォータジェット織機、レピア織機、グリッパー織機等の緯糸を断片的に緯入れする織機において実施することができる。
【符号の説明】
【００３６】
３、４  給糸部
５、８  緯糸把持部
１３  回転ドラム
１３Ａ  外周面
１４  カム
１５、１６  緯糸案内レバー
１８  回転軸
１９  駆動ロッド
２１  緯糸係止ピン
２２  円板カム
２４  山部
２５  谷部
２６  屋根
２７  溝カム部
２８  導入開口カム部
２９  導出開口カム部
３０  垂直レバー
３１  水平レバー
３２  カムフォロア
３３  糸押さえ
３４  ソレノイド機構
３５  スプリング
【図１】
0005229351.tif 000002
【図２】
0005229351.tif 000003
【図３】
0005229351.tif 000004
【図４】
0005229351.tif 000005
【図５】
0005229351.tif 000006
【図６】
0005229351.tif 000007
【図７】
0005229351.tif 000008